(57)【特許請求の範囲】
【請求項１】
水廻り器具の排水口と建物の排水管との間に介在させる排水トラップ装置であって、水溜部を構成する曲管部と曲管部を壁面に固定するためのパネル部からなり、曲管部とパネル部はブロー成形により同一樹脂材料で一体に、かつパネル部は曲管部の曲がり方向にそれと同一平面をなすように中空二重壁構造に構成されるとともに、パネル部には少なくとも曲管部の輪郭に沿って二重壁を溶着して溶着部を形成してなることを特徴とする排水トラップ装置。
【請求項２】
建物の壁面に沿って固定する取付板を備え、この取付板にパネル部の取付側端部を上下方向にスライド嵌合し、かつパネル部に取付板を連結状態とする構成としたことを特徴とする請求項１記載の排水トラップ装置。
【発明の詳細な説明】
【０００１】
【発明の属する技術分野】
本発明は、手洗い台や流し台など水廻り器具の排水口と建物の配水管との間に介在させる排水トラップ装置に関する。
【０００２】
【従来の技術】
建物の水廻り設備においては、水廻り器具の排水口と建物の排水管との間に排水トラップを介在させ、排水トラップに常時溜まる水により水廻り器具の排水口と建物の排水管との流水路を遮断して、臭気の遮断、害虫やネズミの這い出しの防止を図っている（特公昭６０−２４２５９号公報、特開平３−９６５３６号公報または特開平６−１７３３０７号公報参照）。
【０００３】
従来、この種の排水トラップとしては、基本的には図６に示すように構成されていた。すなわち、水廻り器具、例えば手洗い台ａの排水口ｂと建物の排水管ｃとの間に、Ｓ字状の曲管ｄを直管ｅ，ｅを継ぎ足して介在させた構成である。
【０００４】
ところで、従来の基本的構成の排水トラップにおいては、それが手洗い台ａの排水口ｂと建物の排水管ｃとの間に、２つの軸線を形成するように曲管部ｅが跨って取り付けられているだけであるから、排水トラップの部分が機械的強度に劣るうえ、手洗い台ａの支持構造としても十分に機能しないものである。
【０００５】
そこで、前掲の特開平６−１７３３０７号公報においては、従来の基本的構成からなる排水トラップが有する欠点を解消するため、排水トラップに曲管部をフロアに固定する構造が提案されているが、排水トラップとフロアとの間にネジ機構による高さ調節部材を備えなければならず、構成が複雑であるだけでなく、施工時にはネジを回す操作を要して、作業が容易でないのが実情である。
【０００６】
【発明が解決しようとする課題】
本発明は、前述のような従来の排水トラップにおける問題点に鑑み、排水トラップ自体の形状保持性を高くすることによる耐久性の向上と、排水トラップとその建物に対する取付構造の一体化による製造上および施工上の省力化と、さらには外観性の向上を図ることができる排水トラップ装置を提供することを目的とする。
【０００７】
【課題を解決するための手段】
上記目的を達成するため、本発明のその１の構成は、請求項１記載のように、水廻り器具の排水口と建物の排水管との間に介在させる排水トラップ装置であって、水溜部を構成する曲管部と曲管部を壁面に固定するためのパネル部からなり、曲管部とパネル部はブロー成形により同一樹脂材料で一体に、かつパネル部は曲管部の曲がり方向にそれと同一平面をなすように中空二重壁構造に構成されるとともに、パネル部には少なくとも曲管部の輪郭に沿って二重壁を溶着して溶着部を形成してなる排水トラップ装置である。
【０００８】
また、本発明のその２の構成は、建物の壁面に沿って固定する取付板を備え、この取付板にパネル部の取付側端部を上下方向にスライド嵌合し、かつパネル部に取付板を連結状態とする構成とした請求項１記載の排水トラップ装置である。
【０００９】
【発明の実施の形態】
図１ないし図３は、本発明に係る排水トラップ装置の一実施の形態を示し、図１は全体の斜視図、図２は同上側面図、図３は図２におけるＡ−Ａ線矢視方向の断面図である。
【００１０】
図１および図２において、１は水廻り器具である手洗い台であり、その排水口２と建物の床面３に配管されている排水管４との間は、本発明に係る排水トラップ装置５を介在させて袋ナット６，６によりそれぞれ接続されている。
【００１１】
本発明に係る排水トラップ装置５は、水溜部を構成する曲管部７と、曲管部７を建物の壁面８に固定するためのパネル部９からなる。曲管部７とパネル部９はブロー成形により同一樹脂材料で一体に、かつパネル部９は中空二重壁構造に構成されている。このパネル部９は曲管部７の曲がり方向にそれと同一平面をなすように形成されており、パネル部９には曲管部７の輪郭に沿って二重壁を溶着して厚肉状の単壁をなす溶着部１０が形成されている。また、パネル部９の曲管部７側下端部はブラケット１１を形成しており、このブラケット１１にキャップ１２が鎖部材１３により吊持されている。キャップ１２は、曲管部７の下端に有する清掃口１４を閉じるためのものである。パネル部９の取付端側両面には、上下方向の略上半分の長さにスライド嵌合凹溝１５，１５が形成されており、この嵌合凹溝１５，１５より先の部分はパネル部９と同じ厚さの係合部１６をなしている。スライド嵌合凹溝１５，１５の略下半分は貫通溝１７となっている。係合部１６の上端部には嵌合凸部１８が形成されている。
【００１２】
１９は取付板である。この取付板１９はブロー成形により中空二重壁構造に成形されたものである。取付板１９は建物の壁面８に沿わせ、かつ複数の取付孔２０に止めネジ２１を用いて固定されるものである。取付板１９には、パネル部９の嵌合凹溝１５，１５がスライド嵌合する貫通溝２２が上下方向に形成されており、貫通溝２２の上端部にはパネル部９の係合部１６が嵌合する凹溝２３が形成され、かつその上端部には嵌合凸部１８が嵌合する嵌合凹部２４が形成されている。取付板１９は、ブロー成形により中空二重壁構造に形成されたものであるが、単壁構造のものでもよい。
【００１３】
排水トラップ装置５を構成する合成樹脂材料は、ポリエチレン、ポリプロピレン、ポリカーボネート、ＡＢＳ樹脂などの熱可塑性樹脂である。
【００１４】
排水トラップ装置５の取付施工にあたっては、まず手洗い台１の排水口２と床面３に配管されている排水管４間に袋ナット６，６により接続する。次いで、取付板１９の貫通溝２２をパネル部９の取付端側のスライド嵌合凹溝１５，１５にスライド嵌合し、かつ取付板１９の嵌合凹部２４をパネル部９の嵌合凸部１８に嵌合させて、パネル部９に取付板１９を連結状態とする。そして、取付板１９を建物の壁面８に取付孔２０から止めネジ２１によりねじ込んで固定して、排水トラップ５を壁面８に固定支持する。
【００１５】
以上のように構成された排水トラップ装置５によれば、曲管部７とパネル部９とが一体に形成されているので、曲管部７はパネル部９により補強されて排水トラップ装置５自体の形状保持性が高くその耐久性が向上する。また、排水トラップ装置５は、一体構造のパネル部９に取付板１９をスライド嵌合して連結し、取付板１９を建物の壁面８に固定するので、排水トラップ５を建物の壁面８に固定支持されて強度の向上が図られる。また、曲管部７とパネル部９の一体成形により、製造上および施工上の省力化と、さらには外観性の向上を図ることができる。
【００１６】
図４および図５には、本発明に係る排水トラップ装置５のブロー成形態様が例示されている。図４は図２のＡ−Ａ線矢視方向に対応する断面図であって、一対の金型２５，２５間にパリスン２６を配置した態様を示しており、図５は金型２５，２５を閉じてブロー成形した態様を示している。図５において２７はバリである。
【００１７】
ところで、本発明者の実験によれば、排水トラップ装置５をブロー成形するに際し、パネル部９の全面を、金型２５，２５のキャビティ面でパリスン２６の対向壁を圧縮し溶着して構成した場合、キャビティ面の圧縮力が圧縮面の全域で均等に作用させることが困難であって、曲管部７との境界面において一部溶着不良が発生したり、曲管部７にピンホール部や波形部が発生し、排水トラップ装置５の使用時に、曲管部７の内壁部分で詰まりや乱流を生じさせる原因となる。また、パリスン２６の対向壁を圧縮するとき、その対向壁間のエアが逃げきれず空気溜まりが発生して、排水トラップ装置の外観を損ねるという問題がある。
【００１８】
そこで、本発明の一実施の形態によれば、図４および図５に示すように、排水トラップ装置５をブロー成形するに際して、パネル部９を成形するキャビティを、中空二重壁構造に成形するキャビティ２５ａと、少なくとも曲管部７の輪郭に沿って二重壁を溶着して溶着部１０を成形するキャビティ２５ｂとで成形することにより、曲管部７の内壁部分をピンホール部などのない均一な壁面とすることができ、また排水トラップ装置５の外観を向上させることができる。
【００１９】
【発明の効果】
本発明によれば、排水トラップ自体の形状保持性を高くすることによる耐久性の向上と、排水トラップとその建物に対する取付構造の一体化による製造上および施工上の省力化と、さらには外観性の向上を図ることができる排水トラップ装置が得られる。
【図面の簡単な説明】
【図１】本発明に係る排水トラップ装置の一実施の形態を示す全体の斜視図である。
【図２】本発明に係る排水トラップ装置の一実施の形態を示す全体の側面図である。
【図３】図２におけるＡ−Ａ線矢視方向の断面図である。
【図４】本発明に係る排水トラップ装置のブロー成形態様を図２のＡ−Ａ線矢視方向に対応させて示す断面図である。
【図５】図４に示す状態から一対の金型を閉じてブロー成形した態様を示す断面図である。
【図６】従来の排水トラップの基本的構成を示す全体側面図である。
【符号の説明】
１  手洗い台
２  排水口
３  建物の床面
４  排水管
５  排水トラップ装置
６，６  袋ナット
７  曲管部
８  壁面
９  パネル部
１０  溶着部
１１  ブラケット
１２  キャップ
１３  鎖部材
１４  清掃口
１５，１５  スライド嵌合凹溝
１６  係合部
１７  貫通溝
１８  嵌合凸部
１９  取付板
２０  取付孔
２１  ネジ
２２  貫通溝
２３  凹溝
２４  嵌合凹部
２５，２５  一対の金型
２６  パリスン
２７  バリ
【図１】
0003562890.tif 000002
【図２】
0003562890.tif 000003
【図３】
0003562890.tif 000004
【図４】
0003562890.tif 000005
【図５】
0003562890.tif 000006
【図６】
0003562890.tif 000007